(57)【要約】【課題】蓋式ファンを提供する。【解決手段】ファンは、ファンブレードアセンブリと、ファンブレードアセンブリに接続された制御部材と、電源と、を備え、ファンは台座をさらに備え、制御部材及び電源は台座の内部に取り付けられており、ファンブレードアセンブリは台座の上部に設置され、ファンブレードアセンブリは、ファンカバーと、前記ファンカバーの内部に取り付けられたファンブレードと、を備え、ファンカバーと台座は連結構造によって回動連結され、ファンカバーは連結構造に沿って裏返して回動することにより台座の上表面との開閉を実現し、台座には、水筒本体の注ぎ口と結合する結合端が形成される。風向きを調整するために、ファンカバーは連結構造に沿って回動することにより、台座の上表面との開閉を実現する。【選択図】図１
2020106023.tif 000002
【特許請求の範囲】
【請求項１】
ファンブレードアセンブリと、ファンブレードアセンブリに接続された制御部材と、電源と、を備えるファンであって、
前記ファンは台座をさらに備え、
前記制御部材及び前記電源は前記台座の内部に取り付けられており、
前記ファンブレードアセンブリは前記台座の上部に設置され、
前記ファンブレードアセンブリは、ファンカバーと、前記ファンカバーの内部に取り付けられたファンブレードと、を備え、
前記ファンカバーと前記台座は連結構造によって回動連結され、
前記ファンカバーは連結構造に沿って裏返して回動することにより前記台座との開閉を実現し、
前記台座の底部には、水筒本体の注ぎ口と結合する結合端が形成されており、前記結合端は、前記注ぎ口の周辺に被せられる結合口又は前記注ぎ口の内部に嵌合される結合栓であることを特徴とする蓋式ファン。
【請求項２】
前記台座には前記水筒本体に連通されるために用いられるストローが取り付けられており、前記ストローの飲み口部材は可動に構成されるものであり、
前記ストローの開閉を制御するために用いられることを特徴とする請求項１に記載の蓋式ファン。
【請求項３】
前記飲み口部材は前記台座のキャビティの中に取り付けられ、前記キャビティは開口を有し、前記ストローが開状態にある場合、前記飲み口部材を外部に露出させることを特徴とする請求項２に記載の蓋式ファン。
【請求項４】
前記ストローは前記水筒本体に挿入されたチューブを備え、
前記チューブは前記台座の連通口の下方に接続されており、
前記飲み口部材はその入水口と前記連通口の位置対応及び位置ずれを実現するために可動に構成されることを特徴とする請求項３に記載の蓋式ファン。
【請求項５】
前記飲み口部材の内側端部は前記キャビティに回転可能に取り付けられ、前記連通口及び前記入水口は前記飲み口部材の内側端部の軸線に対して偏心して設置され、前記入水口と前記連通口の位置対応及び位置ずれを実現するために、前記飲み口部材は往復移動することを特徴とする請求項４に記載の蓋式ファン。
【請求項６】
前記飲み口部材はフレキシブルホースであり、前記台座には曲げ状態にある前記飲み口部材を制限するために用いられる制限構造が設置されていることを特徴とする請求項２に記載の蓋式ファン。
【請求項７】
前記キャビティには前記飲み口部材を曲げる時に力を加える当止板が設置されており、前記制限構造は前記キャビティの開口部に移動可能に取り付けられたプッシュプレートであり、前記プッシュプレートは往復移動して前記飲み口部材を曲げる、又は、開放することを特徴とする請求項６に記載の蓋式ファン。
【請求項８】
前記飲み口部材の外側端部には硬質部が設置されており、前記制限構造は前記キャビティ上の係合突起であり、前記係合突起の位置は曲げ状態にある前記飲み口部材の硬質部の位置に対応することを特徴とする請求項６に記載の蓋式ファン。
【請求項９】
前記台座の上部を閉鎖するように上蓋が設置されることを特徴とする請求項３に記載の蓋式ファン。
【請求項１０】
前記台座の外側壁には互いに離間している複数の位置制限ブロックが設けられており、前記位置制限ブロックは前記上蓋の内側壁に設置された位置決めブロックと緊密に結合し、各々の位置制限ブロックの間の間隔は対応する前記位置決めブロックが出入するのに十分であり、前記上蓋を回動して、前記位置制限ブロックと前記位置決めブロックの緊密な結合を実現することを特徴とする請求項９に記載の蓋式ファン。
【請求項１１】
前記上蓋の側壁には前記キャビティの開口部にマッチングする窓口が開設されており、前記上蓋を回動して、前記窓口と前記開口部との対応位置、ずれ位置を実現することを特徴とする請求項９に記載の蓋式ファン。
【請求項１２】
前記制御部材及び前記電源と前記結合端との間には断熱キャビティが設置されることを特徴とする請求項１に記載の蓋式ファン。
【請求項１３】
前記連結構造は回動部材及び取付部を備え、前記回動部材と前記取付部の両者は別々に前記ファンカバーと前記台座に設置され、前記回動部材と前記取付部は可動的にマッチングするように連結され、前記連結構造には前記回動部材の回動角度を安定させるために用いられる制限構造が設置されることを特徴とする請求項１に記載の蓋式ファン。
【請求項１４】
前記回動部材は前記ファンカバー上の回転ブラケットであり、前記取付部は前記台座上の横向き固定軸であり、前記横向き固定軸は前記回転ブラケットを貫いて設置され、前記制限構造は、前記回転ブラケットの外表面に設置された複数の横向きリブと、前記台座に設置されて前記横向きリブに嵌合されるために用いられる位置決めボードと、を備えることを特徴とする請求項１３に記載の蓋式ファン。
【請求項１５】
前記回動部材は前記ファンカバー上の横向き回転軸であり、前記取付部は前記台座上の軸受け部であり、前記制限構造は前記横向き回転軸に当接する弾性シートであることを特徴とする請求項１３に記載の蓋式ファン。
【請求項１６】
前記ファンカバーと前記台座の開閉側には互いにマッチングする係合構造が設置されることを特徴とする請求項１に記載の蓋式ファン。
【請求項１７】
前記台座にはさらに前記水筒本体に連通される気孔が設けられ、前記気孔の下方にエアバルブが設置され、前記ストローの使用状態によって前記エアバルブの開閉を制御することを特徴とする請求項２に記載の蓋式ファン。
【請求項１８】
水筒の注ぎ口には請求項１〜１７のいずれか一項に記載の蓋式ファンが設置されることを特徴とする水筒。
【発明の詳細な説明】
【技術分野】
【０００１】
本発明は、蓋式ファン及び蓋式ファンを有する水筒に関するものである。
【背景技術】
【０００２】
消費者が戸外で運動をする時には、よく水筒を身に付けて持つことがあり、特にアウトドアサイクリングスポーツ、登山などの激しい運動の愛好家にとって、水筒は不可欠な携行品である。現在のファン付き水筒に関し実用新案公告番号がＣＮ２０１４８０８７３Ｕのものがあるが、このような水筒の蓋式ファンの設計は以下の欠点がある。
１：収納が不便であり、風向きのマルチ角度選択及び定位を実現することも不便である。
２：水筒で水を飲むことも非常に不便である。
３；外部に完全に露出したファンの羽根を保護することはできないため、使用における安全上の問題を招く。
４；ファンの羽根構造全体が覆われていないので、美観及び耐衝撃性の実用性を維持することはできない。
このため、改善の必要性が必ず存在していると言える。
しかし、水筒の直径には制限があるため、対応する蓋式ファンのサイズも制限されており、狭い空間領域で複数の機能を実現すること、例えば、収納が便利でること、マルチ角度調整、ファン羽根の保護、安全に使用できること、飲みやすさ、美しい外観などの組み合わせを考慮することは、当業者にとってみれば周知な構造、組み合わせ又はデザインであったとしても、実際に当業者にとって非常に難しい技術的な考慮である。
従って、水筒のファンをどのように合理的に改善して実際に市場に応用することは、本発明が解決しようとする技術的問題である。
【発明の概要】
【発明が解決しようとする課題】
【０００３】
本発明が解決しようとする技術的課題は、改善された蓋式ファン及びこのようなファンを有する水筒を提供することである。
【課題を解決するための手段】
【０００４】
本発明の技術的課題を解決するために採用する技術的方案は、蓋式ファンを提供するものであり、ファンは、ファンブレードアセンブリと、ファンブレードアセンブリに接続された制御部材と、電源と、を備え、ファンは台座をさらに備え、制御部材及び電源は台座の内部に取り付けられており、ファンブレードアセンブリは台座の上部に設置され、ファンブレードアセンブリは、ファンカバーと、前記ファンカバーの内部に取り付けられたファンブレードと、を備え、ファンカバーと台座は連結構造によって回動連結され、ファンカバーは連結構造に沿って裏返して回動することにより台座との開閉を実現し、台座の底部には、水筒本体の注ぎ口と結合する結合端が形成されており、結合端は、注ぎ口の周辺に被せられる結合口又は注ぎ口の内部に嵌合される結合栓である。
【０００５】
上述した蓋式ファンにおいて、台座には水筒本体に連通されるために用いられるストローが取り付けられており、ストローの飲み口部材は可動に構成されるものであり、ストローの開閉を制御するために用いられる。
【０００６】
上述した蓋式ファンにおいて、飲み口部材は台座のキャビティの中に取り付けられ、キャビティは開口を有し、ストローが開状態にある場合、飲み口部材を外部に露出させる。
【０００７】
上述した蓋式ファンにおいて、ストローは水筒本体に挿入されたチューブを備え、チューブは台座の連通口の下方に接続されており、飲み口部材はその入水口と連通口の位置対応及び位置ずれを実現するために可動に構成される。
【０００８】
上述した蓋式ファンにおいて、飲み口部材の内側端部はキャビティに回転可能に取り付けられ、連通口及び入水口は飲み口部材の内側端部の軸線に対して偏心して設置され、入水口と連通口の位置対応及び位置ずれを実現するために、飲み口部材は往復移動する。
【０００９】
上述した蓋式ファンにおいて、飲み口部材はフレキシブルホースであり、台座には曲げ状態にある飲み口部材を制限するために用いられる制限構造が設置されている。
【００１０】
上述した蓋式ファンにおいて、キャビティには飲み口部材を曲げる時に力を加える当止板が設置されており、制限構造はキャビティの開口部に移動可能に取り付けられたプッシュプレートであり、プッシュプレートは往復移動して飲み口部材を曲げる、又は、開放する。
【００１１】
上述した蓋式ファンにおいて、飲み口部材の外側端部には硬質部が設置されており、制限構造は前記キャビティ上の係合突起であり、係合突起の位置は曲げ状態にある飲み口部材の硬質部の位置に対応する。
【００１２】
上述した蓋式ファンにおいて、台座の上部を閉鎖するように上蓋が設置される。
【００１３】
上述した蓋式ファンにおいて、台座の外側壁には互いに離間している複数の位置制限ブロックが設けられており、位置制限ブロックは上蓋の内側壁に設置された位置決めブロックと緊密に結合し、各々の位置制限ブロックの間の間隔は対応する位置決めブロックが出入するのに十分であり、上蓋を回動して、位置制限ブロックと位置決めブロックの緊密な結合を実現する。
【００１４】
上述した蓋式ファンにおいて、上蓋の側壁にはキャビティの開口部にマッチングする窓口が開設されており、上蓋を回動して、窓口と開口部との対応位置、ずれ位置を実現する。
【００１５】
上述した蓋式ファンにおいて、制御部材及び電源と結合端との間には断熱キャビティが設置される。
【００１６】
上述した蓋式ファンにおいて、連結構造は回動部材及び取付部を備え、回動部材と取付部の両者は別々にファンカバーと台座に設置され、回動部材と取付部は可動的にマッチングするように連結され、連結構造には回動部材の回動角度を安定させるために用いられる制限構造が設置される。
【００１７】
上述した蓋式ファンにおいて、回動部材はファンカバー上の回転ブラケットであり、取付部は台座上の横向き固定軸であり、横向き固定軸は回転ブラケットを貫いて設置され、制限構造は、回転ブラケットの外表面に設置された複数の横向きリブと、台座に設置されて横向きリブに嵌合されるために用いられる位置決めボードと、を備える。
【００１８】
上述した蓋式ファンにおいて、回動部材はファンカバー上の横向き回転軸であり、取付部は台座上の軸受け部であり、制限構造は横向き回転軸に当接する弾性シートである。
【００１９】
上述した蓋式ファンにおいて、ファンカバーと台座の開閉側には互いにマッチングする係合構造が設置される。
【００２０】
上述した蓋式ファンにおいて、台座にはさらに水筒本体に連通される気孔が設けられ、気孔の下方にエアバルブが設置され、ストローの使用状態によってエアバルブの開閉を制御する。
【００２１】
水筒であって、水筒の注ぎ口には上記のいずれか一項に記載の蓋式ファンが設置される。
【発明の効果】
【００２２】
本発明の技術的方案は、少なくとも以下の有益な効果を有する：ファンカバーを回動することにより、風向きを調整することができ、操作が便利である。
【図面の簡単な説明】
【００２３】
【図１】本発明の第一実施形態に係わる蓋式ファンの概略図。
【図２】第一実施形態において、飲み口部材の構造を示す概略図。
【図３】第一実施形態において、キャビティを示す概略図。
【図４】第一実施形態において、ファンカバー、台座及びストローの組立を示す概略図。
【図５】第一実施形態において、飲み口部材の概略図。
【図６】本発明の上蓋の概略図。
【図７】本発明の第二実施形態の概略図。
【図８】本発明の第二実施形態において、飲み口部材の構造を示す概略図。
【図９】本発明の第三実施形態の概略図。
【図１０】第三実施形態において、飲み口部材を開放した状態を示す概略図。
【図１１】第三実施形態において、飲み口部材を折り曲げて没入させた状態を示す概略図。
【図１２】断熱キャビティを有する蓋式ファンの断面図。
【発明を実施するための形態】
【００２４】
以下、図面及び実施形態を結合して本発明に対してさらに説明する。
本発明の技術的特徴、目的及び効果をより明確に理解するために、図面を参照して本発明の具体的な実施形態について詳細に説明する。
【００２５】
図１〜１２に示されたように、蓋式ファンであり、ファンは、ファンブレードアセンブリと、ファンブレードアセンブリに接続された制御部材と、電源１０３と、を備える。ファンは台座１をさらに備え、制御部材及び電源１０３は台座１の内部に取り付けられており、ファンブレードアセンブリは台座１の上部に設置される。その中において、ファンブレードアセンブリは、ファンカバー６と、ファンカバー６の内部に取り付けられたファンブレード６０と、を備える。ファンカバー６と台座１は連結構造によって回動連結され、ファンカバー６は連結構造に沿って裏返して回動することにより台座1との開閉を実現し、一般的に台座の上表面と開閉する。台座１の底部には、水筒本体２の注ぎ口と結合する結合端が形成されており、結合端は、注ぎ口の周辺に被せられる結合口１００又は注ぎ口の内部に嵌合される結合栓である。ファンカバーと台座の開閉側（両者の連結箇所に対向する片側）には互いにマッチングする係合構造が設置されており、係合構造は閉じ状態にあるファンカバーと台座を相対的に固定することができ、ファンカバーが自由に開けられることを避ける。係合構造はよく見られるものであり、係合溝と係合突部の係合を採用すればよい。
【００２６】
従来の技術方案に比べて、本発明は、ファンブレード６０（即ち、羽根である）をファンカバー６の内部に放置して保護することにより、安全性を高めることができ、連結構造によってファンカバー６を回動させて台座1の上表面と開閉するので、このような書物をめくるような活動操作によって、風向きを容易に調整することができ、ファンの収納も便利になり、占有空間を減少する。台座１と水筒本体２の結合は、結合口１００であるか結合栓であるかにかかわらず、全て螺合方式、係合方式などのよく見られる方式を採用して実現することができる。
【００２７】
連結構造は、通常回動部材及び取付部を備え、回動部材と取付部の両者は別々にファンカバー６と台座１に設置され、回動部材と取付部は可動的にマッチングするように連結される。ファンカバー６の回動は、風向きの調整を実現したが、ファンカバー６をある角度に固定することはできないと、蓋式ファンの便利性は大幅に引き下げられ、人工補助又は他の支持部材による補助を必要とするので、好ましい解決方案として、連結構造に制限構造を設置する。
【００２８】
制限構造は以下のような設置される方式であることができる。
【００２９】
第一、回動部材はファンカバー６上の回転ブラケット７であり、取付部は台座１上の横向き固定軸であり、横向き固定軸７１は回転ブラケット７を貫いて設置される。制限構造は、回転ブラケット７の外表面に設置された複数の横向きリブ７０と、台座１に設置されて横向きリブ７０に嵌合されるために用いられる位置決めボード８と、を備える。回転ブラケット７が横向き固定軸７１に沿って回動しているところ、位置決めボード８は一つ一つの横向きリブ７０の嵌合位置とマッチングする。ファンカバー６のある開け角度を選択してから、外力を除去すると、位置決めボード８と対応する横向きリブ７０は安定的な嵌合を形成して、ファンカバー６の自主的な活動を防止して、風向きの安定性を確保する。
【００３０】
第二、回動部材はファンカバー６上の横向き回転軸であり、取付部は台座１上の軸受け部であり、制限構造は横向き回転軸に当接する弾性シートである。弾性シートは、台座１に固定され且つ横向き回転軸の下方に位置し、横向き回転軸に対して持続的に付勢力を付与する。弾性シートは弾性材質であるので、外力を加える場合、横向き回転軸は依然として軸受け部に沿って回動することができ、従ってファンカバー６の方向を調整する。この時、弾性シートは押圧変形状態になり、適合な位置に回動された場合、外力を除去しても、弾性シートは続いて横向き回転軸に付勢力を付与して、横向き回転軸が自由に回転しないようにする。
【００３１】
第一、第二、第三実施形態の主要な相違点は飲み口部材５の設置である。
【００３２】
ストローは、台座１に取り付けられており、水筒本体２に連通されるために用いられる。ストローの飲み口部材５は可動に構成されるものであり、ストローの開閉を制御することができる。飲み口部材５は、台座１のキャビティ４の中に取り付けられる。キャビティ４は開口を有し、ストローが開状態にある場合、飲み口部材５を外部に露出させる。ストローを使用する場合、水を吸い出すために、外部気圧が水筒本体２の内部に入ることを必要とする。現有の水筒技術において、いろいろな実現方式があり、本発明では、台座１（通常はキャビティ４の中に設置する）に気孔４２を設置し、気孔４２は水筒本体２に連通され、気孔４２の下方にエアバルブを設置し、ストローの使用状態によってエアバルブの開閉を制御する。水を飲む時は、エアバルブは開けられ、外部空気は気孔４２から水筒本体２の内部に入り、水はストローに沿って流し出され、水を飲まない時は、エアバルブは気孔４２に貼り合わせられて、水が流し出されないようにする。
【００３３】
第一実施形態において、ストローは、飲み口部材５と、チューブ５２と、を備える。台座１には、連通口５３が開設されており、それは水筒本体２に挿入されたチューブ５２と連通される。飲み口部材５が動くことによって、その入水口５１と連通口５３の対応位置、ずれ位置を制御する。飲み口部材５はキャビティ４内でスライド可能に設置することができ、例えば、飲み口部材５は外部へスライドしてキャビティ４の開口から露出する時、その入水口５１と連通口５３はちょうど対応され、内部へスライドしてキャビティ４に没入する時、その入水口５１と連通口５３は位置をずれて、水は流出できなくなる。
【００３４】
本発明では、好ましくは入水口５１と連通口５３の偏心して設置される方式を採用する。飲み口部材５の内側端部５０はキャビティ４に回転可能に取り付けられ、連通口５３及び入水口５１は飲み口部材５の内側端部５０の軸線に対して偏心して設置される。入水口５１と連通口５３の位置対応及び位置ずれを実現するために、飲み口部材５は往復移動する。飲み口部材５の内側端部５０は、その外側端部５４の水平方向の往復移動を制御するために、キャビティ４内に縦方向に取り付けられる。
【００３５】
第二実施形態において、飲み口部材５はフレキシブルホースであり、キャビティ４には、フレキシブルホースを曲げる時に力を加える当止板１０が設置される。キャビティ４の開口部にプッシュプレート９が移動可能に取り付けられており、プッシュプレート９を往復移動して飲み口部材５を曲げる、又は、開放する。図７〜８に示されるように（図面では、飲み口部材５の２つの状態が同時に示される）、プッシュプレート９を移動させると、飲み口部材５はキャビティ４内で曲げられ且つその状態で制限され、フレキシブルホースである飲み口部材５が曲げられることにより、ストローは閉状態となり、水は流出できなくなる。プッシュプレート９を反方向に移動して、飲み口部材５に対する作用力を除去すると、飲み口部材５は弾性回復して開口部から露出し、ストローは開状態になる。当止板１０の作用は、飲み口部材５を曲げる時に力を加えることであり、これがないと曲げ効果は制御不能である。
【００３６】
第三実施形態において、フレキシブルホース材質の飲み口部材５の外側端部５４には硬質部が設置されており、飲み口部材５を曲げた状態に制限するために、キャビティ４には外側端部５４に対応される係合突起１１が設置されている。硬質部は、フレキシブルホースの周囲に硬質プラスチックを巻き付けて形成することができる。手動操作によりフレキシブルホース部分に沿って飲み口部材５を折り曲げると、硬質部は折り曲げ部分のフレキシブルホース部分を押圧するので、ストローを閉じる効果はさらに良いものとなる。係合突起１１は、キャビティ４の頂部又は底部に設置される。飲み口部材５を横向きに曲げてから係合突起１１によって係合するので、自動的にリセットすることはできない。硬質部の内側端部に近い部分には切欠き部５４０が設置され、切欠き部５４０は飲み口部材５の曲げ方向に対応し、曲げる時の抵抗を低減することができる。
【００３７】
飲み口部材５を開放する時にそれをキャビティの開口部から露出させるためには、多くの方式があり、キャビティは飲み口部材を収容するための十分な空間を有し、飲み口部材５の取付端部から開口部までの距離は、飲み口部材５の長さよりも短く構成される。例えば、第一実施形態において、キャビティは長辺４０と短辺４１を有し、飲み口部材５の設置位置は両辺の夾角に近く、長辺４０の長さは飲み口部材５の長さよりも長く、飲み口部材５の長さは短辺４１長さよりも長く、飲み口部材５が長辺４０に向かって回転すると、閉じられて収容された状態になり、短辺４１に向かって回転すると、外に露出して開状態になる。
【００３８】
いくつかの実施形態において、上蓋３は台座１の上部を閉鎖し、上蓋３の側壁にはキャビティ４の開口部にマッチングする窓口３０が開設され、上蓋３を回動して開口部との対応位置、ずれ位置を実現する。台座１に間隔を置いて設置された位置制限ブロック１０１と、上蓋３に間隔を置いて設置された位置決めブロック３１とによって、台座１と上蓋３を緊密に結合して固定することができる。係合を容易にするために、先ず位置制限ブロック１０１と位置決めブロック３１は位置がずれており、それから上蓋３を回動して、２つの構造は緊密に結合して、上蓋３が容易に脱離されることを免れる。
【００３９】
いくつかの実施形態において、メインボード等の制御部及び電源１０３と結合端との間には断熱キャビティ１０２が設置されており、且つ台座１には一般的に電源キャビティが形成される。断熱キャビティ１０２は電源１０３に対する水筒本体２の飲料の熱量の影響を減少することができ、従ってファンの正常作動を確保する。通常、電源１０３は繰り返して充電して使用することができるリチウム電池を採用する。電気を補給するために、台座１にはメインボードに接続される充電入力ポートが設置されており、他の電子機器に充電するようにモバイル電源として使用するために、充電出力ポートを設置することもできる。
【００４０】
なお、蓋式ファンと組み合わせている水筒本体２にフレキシブルベルトを取り付けることができる。ベルトは注ぎ口に近い箇所に固定されて、携帯に便利である。
【００４１】
以上、本発明の好適な実施形態のみを説明したが、本発明はこれらの実施形態に限定されるものではなく、当業者にとって、本発明は種々の変更、組合、変化が可能である。 本発明の精神及び範囲内でなされる任意の修正、同等の交換、改良などは、本発明の範囲に属するものである。
【符号の説明】
【００４２】
１  台座
２  水筒本体
３  上蓋
４  キャビティ
５  飲み口部材
６  ファンカバー
７  回転ブラケット
８  位置決めボード
９  プッシュプレート
１０  当止板
１１  係合突起
３０  窓口
３１  位置決めブロック
４０  長辺
４１  短辺
４２  気孔
５０  内側端部
５１  入水口
５２  チューブ
５３  連通口
５４  外側端部
６０  ファンブレード
７０  横向きリブ
７１  横向き固定軸
１００  結合口
１０１  位置制限ブロック
１０２  断熱キャビティ
１０３  電源
５４０  切欠き部
【図１】
2020106023.tif 000003
【図２】
2020106023.tif 000004
【図３】
2020106023.tif 000005
【図４】
2020106023.tif 000006
【図５】
2020106023.tif 000007
【図６】
2020106023.tif 000008
【図７】
2020106023.tif 000009
【図８】
2020106023.tif 000010
【図９】
2020106023.tif 000011
【図１０】
2020106023.tif 000012
【図１１】
2020106023.tif 000013
【図１２】
2020106023.tif 000014